(57)【要約】【課題】組み付け性を向上させることができる携帯機及びその組み付け方法を提供する。【解決手段】この携帯機１は、支持柱２５と、貫通孔８２の内径方向に突出する周突起８５を有する回転部材８と、一方の端部を外方向に曲げて形成され、アッパケース３とロアケース２を組み付けた後のメカニカルキー９の回転による周突起８５との接触によって段差部２５２から移動して溝部２５３に嵌まり込む先端部４１、及び他方の端部を螺旋方向と逆方向に曲げて形成された湾曲部４２を有するスプリング４と、複数のスリットに挿入される複数の凸部、本体５０の下面５１ｂに設けられたスプリング４の上部が挿入される内溝５６、内溝５６と連結して外方向に形成され、スプリング４の湾曲部４２が挿入される径溝５５を有するリリースボタン５と、を備えている。【選択図】図６
2017137640.tif 000002
【特許請求の範囲】
【請求項１】
アッパケースと共にメカニカルキーを回転可能に支持するロアケースに設けられ、円筒形状を有する円筒部、前記円筒部の一部を切り欠いたような形状を有して前記円筒部との段差を形成する段差部、及び前記段差部と前記円筒部の間に形成された溝部を有する支持柱と、
キープレートと共に前記メカニカルキーを構成し、前記支持柱が挿入される挿入孔、前記挿入孔と連結する複数のスリット、及び前記挿入孔の下部に設けられ、前記挿入孔の内径方向に突出する周突起を有する回転部材と、
コイル形状を有し、一方の端部を外方向に曲げて形成され、前記アッパケースと前記ロアケースを組み付けた後の前記メカニカルキーの回転による前記周突起との接触によって前記段差部から移動して前記溝部に嵌まり込む先端部、及び他方の端部を螺旋方向と逆方向に曲げて形成された湾曲部を有するスプリングと、
本体の側面から突出し、前記回転部材の前記複数のスリットに挿入される複数の凸部、前記本体の下面に設けられた前記スプリングの上部が挿入される内溝、前記内溝と連結して外方向に形成され、前記スプリングの前記湾曲部が挿入される径溝を有するリリースボタンと、
を備えた携帯機。
【請求項２】
前記回転部材は、前記挿入孔の上部の内径方向に突出する複数のガイド突起を有し、前記挿入孔と前記複数のガイド突起とにより、回転を支持する前記アッパケースの部材をガイドするガイド部を構成する、
請求項１に記載の携帯機。
【請求項３】
前記回転部材の前記複数のガイド突起は、前記周突起の上方の少なくとも一部の領域、及び前記複数のスリットが形成された領域を除いて形成される、
請求項２に記載の携帯機。
【請求項４】
前記複数の凸部は、前記リリースボタンの前記本体を介して対向するように形成された第１の凸部及び第２の凸部と、前記第１の凸部と前記第２の凸部の間に形成された第３の凸部と、を有し、
少なくとも前記第１の凸部と前記第３の凸部の下部に設けられた凹部に前記スプリングの前記他方の端部が嵌め込まれる、
請求項１乃至３のいずれか１項に記載の携帯機。
【請求項５】
キープレートがロアケースから突出した状態となるように、前記ロアケースの支持柱にメカニカルキーの回転部材を挿入し、
前記回転部材の貫通孔にスプリングを挿入し、
リリースボタンを前記回転部材の前記貫通孔に挿入し、
その他の部品を組み付けた後、前記ロアケースにアッパケースを取り付け、
前記リリースボタンを押し下げたまま前記キープレートが収容される収容領域に収容する方向、及び突出させる方向に回転させて前記キープレートを前記収容領域から突出させる弾性力を前記スプリングに蓄積させる、
携帯機の組み付け方法。
【発明の詳細な説明】
【技術分野】
【０００１】
本発明は、携帯機及びその組み付け方法に関する。
【背景技術】
【０００２】
従来の技術として、キープレートがアッパケースとロアケースに回転可能に支持されるキーユニットが知られている（例えば、特許文献１参照。）。
【０００３】
このキーユニットのロアケースとアッパケースの組み付けは、先ずロアケースの支軸にコイルばね及びリリースボタンを装着し、当該支軸をキーヘッドの支持孔に挿通させたメカニカルキーを突出位置に配置する。次に、キーヘッドのばね収容孔に収容したねじりばねの一端側係合部を係止孔に挿入した状態で、アッパケースの支持筒部を支軸に嵌めて連結しつつ、ばね係合位置にアッパケースを配置し、外力を加えない自然な状態にあるねじりばねの他端の係合部をばね係止部に挿入させる。
【０００４】
そしてコイルばねで付勢された状態にあるキーヘッドに当接したアッパケースを、コイルばねのばね力に対抗するようにして押さえつつ、締結位置まで支軸の軸線まわりに所定量回転させ、ロアケースの連結壁部にアッパケースの連結壁部を当接させてロアケースとアッパケースの締結が行われる。
【先行技術文献】
【特許文献】
【０００５】
【特許文献１】特開２００７−２５５０１４号公報
【発明の概要】
【発明が解決しようとする課題】
【０００６】
しかし従来のキーユニットは、上述のように、アッパケースをコイルばねのばね力に対抗して押さえながら、さらにねじりばねのばね力に対抗して締結位置まで回転させてロアケースとアッパケースを締結しなければならないので、組み付け性が良くなかった。
【０００７】
従って、本発明の目的は、組み付け性を向上させることができる携帯機及びその組み付け方法を提供することにある。
【課題を解決するための手段】
【０００８】
本発明の一態様は、アッパケースと共にメカニカルキーを回転可能に支持するロアケースに設けられ、円筒形状を有する円筒部、円筒部の一部を切り欠いたような形状を有して円筒部との段差を形成する段差部、及び段差部と円筒部の間に形成された溝部を有する支持柱と、キープレートと共にメカニカルキーを構成し、支持柱が挿入される挿入孔、挿入孔と連結する複数のスリット、及び挿入孔の下部に設けられ、挿入孔の内径方向に突出する周突起を有する回転部材と、コイル形状を有し、一方の端部を外方向に曲げて形成され、アッパケースとロアケースを組み付けた後のメカニカルキーの回転による周突起との接触によって段差部から移動して溝部に嵌まり込む先端部、及び他方の端部を螺旋方向と逆方向に曲げて形成された湾曲部を有するスプリングと、本体の側面から突出し、回転部材の複数のスリットに挿入される複数の凸部、本体の下面に設けられたスプリングの上部が挿入される内溝、内溝と連結して外方向に形成され、スプリングの湾曲部が挿入される径溝を有するリリースボタンと、を備えた携帯機を提供する。
【発明の効果】
【０００９】
本発明によれば、組み付け性を向上させることができる。
【図面の簡単な説明】
【００１０】
【図１】図１は、実施の形態に係る携帯機の一例を示す展開図である。
【図２】図２（ａ）は、実施の形態に係る携帯機のアッパケースの一例を示す概略図であり、図２（ｂ）は、ロアケースの一例を示す概略図であり、図２（ｃ）は、支持柱の一例を示す上面図であり、図２（ｄ）は、支持柱の図２（ｃ）のII（ｄ）-II（ｄ）線で切断した断面を矢印方向から見た一例を示す断面図であり、図２（ｅ）は、スプリングの一例を示す概略図である。
【図３】図３（ａ）は、実施の形態に係る携帯機のリリースボタンの一例を示す右側面図であり、図３（ｂ）は、リリースボタンの一例を示す平面図であり、図３（ｃ）は、リリースボタンの一例を示す正面図であり、図３（ｄ）は、リリースボタンの一例を示す左側面図であり、図３（ｅ）は、リリースボタンの一例を示す下面図である。
【図４】図４（ａ）は、実施の形態に係る携帯機のメカニカルキーの一例を示す上面図であり、図４（ｂ）は、メカニカルキーの一例を示す側面図であり、図４（ｃ）は、メカニカルキーの一例を示す下面図であり、図４（ｄ）は、図４（ａ）のIV（ｄ）-IV（ｄ）線で切断した断面を矢印方向から見た断面図の一例を示している。
【図５】図５（ａ）〜図５（ｅ）は、実施の形態に係る携帯機の組み付け方法の一例を示す概略図である。
【図６】図６（ａ）〜図６（ｃ）は、実施の形態に係る携帯機の組み付け後におけるスプリングの先端部の移動の一例について説明するための概略図である。
【発明を実施するための形態】
【００１１】
（実施の形態の要約）
実施の形態に係る携帯機は、アッパケースと共にメカニカルキーを回転可能に支持するロアケースに設けられ、円筒形状を有する円筒部、円筒部の一部を切り欠いたような形状を有して円筒部との段差を形成する段差部、及び段差部と円筒部の間に形成された溝部を有する支持柱と、キープレートと共にメカニカルキーを構成し、支持柱が挿入される挿入孔、挿入孔と連結する複数のスリット、及び挿入孔の下部に設けられ、挿入孔の内径方向に突出する周突起を有する回転部材と、コイル形状を有し、一方の端部を外方向に曲げて形成され、アッパケースとロアケースを組み付けた後のメカニカルキーの回転による周突起との接触によって段差部から移動して溝部に嵌まり込む先端部、及び他方の端部を螺旋方向と逆方向に曲げて形成された湾曲部を有するスプリングと、本体の側面から突出し、回転部材の複数のスリットに挿入される複数の凸部、本体の下面に設けられたスプリングの上部が挿入される内溝、内溝と連結して外方向に形成され、スプリングの湾曲部が挿入される径溝を有するリリースボタンと、を備えて概略構成されている。
【００１２】
この携帯機は、回転部材の貫通孔のスリットにリリースボタンの凸部が挿入されるので、リリースボタンが回転部材と共に回転する。また携帯機は、スプリングの先端部がアッパケースとロアケースの組み付け後のメカニカルキーの回転によって支持柱の段差部を移動して溝部に嵌る構成を有しているので、それまでは捩れ方向の弾性力がメカニカルキーなどに作用しない。従って携帯機は、リリースボタンやメカニカルキーなどの組み付け時にスプリングの弾性力に抗するための治具などを必要としない。従って携帯機は、組み付け性を向上させることができる。
【００１３】
[実施の形態]
（携帯機１の概要）
図１は、実施の形態に係る携帯機の一例を示す展開図である。なお、以下に記載する実施の形態に係る各図において、図形間の比率は、実際の比率とは異なる場合がある。
【００１４】
携帯機１は、例えば、車両のドアロックの施錠及び解錠、トランクの解錠、エンジンやモータなどの駆動装置の始動及び停止などに用いられる。この携帯機１は、図１に示すように、ドアロックの施錠及び解錠などをボタン１２に対するプッシュ操作で指示可能な無線機能を有している。そして携帯機１は、例えば、メカニカルキー９によるシリンダ錠の施錠及び解錠、駆動装置の始動及び停止を行うことができるように構成されている。
【００１５】
この携帯機１は、図１に示すように、アッパケース３と共にメカニカルキー９を回転可能に支持するロアケース２に設けられ、円筒形状を有する円筒部２５１、円筒部２５１の一部を切り欠いたような形状を有して円筒部２５１との段差を形成する段差部２５２、及び段差部２５２と円筒部２５１の間に形成された溝部２５３を有する支持柱２５を備えている。
【００１６】
また携帯機１は、図１に示すように、キープレート７と共にメカニカルキー９を構成し、支持柱２５が挿入される貫通孔８２、貫通孔８２と連結する複数のスリット、及び貫通孔８２の下部に設けられ、貫通孔８２の内径方向に突出する後述する周突起８５を有する回転部材８を備えている。
【００１７】
また携帯機１は、図１に示すように、コイル形状を有し、一方の端部を外方向に曲げて形成され、アッパケース３とロアケース２を組み付けた後のメカニカルキー９の回転による周突起８５との接触によって段差部２５２から移動して溝部２５３に嵌まり込む先端部４１、及び他方の端部を螺旋方向と逆方向に曲げて形成された湾曲部４２を有するスプリング４を備えている。
【００１８】
さらに携帯機１は、図１に示すように、本体５０の側面から突出し、回転部材８の複数のスリットに挿入される複数の凸部、本体５０の下面５１ｂに設けられたスプリング４の上部が挿入される後述する内溝５６、内溝５６と連結して外方向に形成され、スプリング４の湾曲部４２が挿入される後述する径溝５５を有するリリースボタン５を備えている。
【００１９】
なお本実施の形態の複数のスリットは、一例として、スリット８３ａ〜スリット８３ｃである。また複数の凸部は、一例として、リリースボタン５の本体５０を介して対向するように形成された第１の凸部５２及び第２の凸部５３と、第１の凸部５２と第２の凸部５３の間に形成された第３の凸部５４と、である。
【００２０】
また携帯機１は、図１に示すように、基板１０と、パッキンシート１１と、ボタン１２と、トランスポンダ１３と、を備えて概略構成されている。
【００２１】
このメカニカルキー９は、キープレート７と、回転部材８と、を有し、キープレート７が回転部材８に取り付けられている。
【００２２】
（ロアケース２とアッパケース３の構成）
図２（ａ）は、実施の形態に係る携帯機のアッパケースの一例を示す概略図であり、図２（ｂ）は、ロアケースの一例を示す概略図であり、図２（ｃ）は、支持柱の一例を示す上面図であり、図２（ｄ）は、支持柱の図２（ｃ）のII（ｄ）-II（ｄ）線で切断した断面を矢印方向から見た一例を示す断面図であり、図２（ｅ）は、スプリングの一例を示す概略図である。
【００２３】
ロアケース２とアッパケース３は、一例として、ＡＢＳ（Acrylonitrile-Butadiene-Styrene resin）、ＰＰＡ（Polyphthalamide）、ＰＰＳ（Polyphenilensulfide）、ＰＡ（Polyamide）などの樹脂材料によって形成される。ロアケース２及びアッパケース３は、細長い矩形状を有している。携帯機１のケース１００は、ロアケース２及びアッパケース３によって形成される。
【００２４】
ロアケース２は、例えば、図２（ｂ）に示すように、電池、及び基板１０とパッキンシート１１が一体となった部材の基板１０側を収容する収容部２０と、トランスポンダ１３を収容する収容部２１と、一方の側面部２０２に設けられ、後述するアッパケース３のキープレート収容部３２と共にキープレート７を収容するキープレート収容部２２と、他方の側面部２０３と一方の端部２０１とに形成された爪２３と、アッパケース３の結合部３４と結合する結合部２４と、他方の端部２００に設けられた支持柱２５と、回転部材８を収容する回転部材収容部２８と、を備えて概略構成されている。
【００２５】
またアッパケース３は、例えば、図２（ａ）に示すように、基板１０とパッキンシート１１が一体となった部材のパッキンシート１１側を収容する収容部３０と、一方の側面部３０２に設けられ、ロアケース２のキープレート収容部２２と共にキープレート７を収容するキープレート収容部３２と、他方の側面部３０３と一方の端部３０１とに形成され、爪２３が嵌め込まれる嵌部３３と、ロアケース２の結合部２４と結合する結合部３４と、他方の端部３００に設けられ、リリースボタン５の本体５０が挿入される貫通孔３６を有する円筒部３５と、回転部材８を収容する回転部材収容部３８と、を備えて概略構成されている。
【００２６】
ロアケース２とアッパケース３が組み付けられると、例えば、収容部２０は、収容部３０と共に基板１０及びパッキンシート１１を挟んで保持する。このアッパケース３の収容部３０には、例えば、ボタン１２に応じて円形の孔であるボタン貫通孔３１０が複数形成されている。
【００２７】
またロアケース２とアッパケース３が組み付けられると、キープレート収容部２２は、キープレート収容部３２と共にキープレート７を収容する細長い収容領域１０１を形成する。この収容領域１０１は、側面部２０２及び側面部３０２側に、キープレート７を出し入れできる開口が形成される。
【００２８】
メカニカルキー９の回転部材８は、組み付けによってロアケース２の回転部材収容部２８とアッパケース３の回転部材収容部３８とで形成される収容領域１０２に回転可能に収容される。この回転部材収容部２８には、図２（ｂ）に示すように、支持柱２５及び円形溝２６が形成されている。また回転部材収容部３８には、図２（ａ）に示すように、円筒部３５が形成されている。
【００２９】
支持柱２５は、回転部材８の回転軸となり、回転部材収容部２８から突出する台座部２５６上に形成されている。円形溝２６は、支持柱２５の周囲に扇状に形成された溝であり、キープレート７の飛び出し時の回転を規制する。
【００３０】
また支持柱２５は、図１に示すように、円筒部２５１の中心に円柱部２５０が設けられている。この円柱部２５０は、図２（ｂ）及び図２（ｃ）に示すように、円柱形状を有する。円柱部２５０は、リリースボタン５の後述する円形凹部５８に挿入される。
【００３１】
支持柱２５の段差部２５２は、図２（ｂ）及び図２（ｃ）に示すように、円筒部３５をおよそ９０°分切り欠いたような形状を有している。そして図２（ｂ）及び図２（ｃ）の紙面において下側となる、段差部２５２と円筒部２５１の境界に、溝部２５３が形成されている。
【００３２】
アッパケース３の円筒部３５は、アッパケース３を貫通する貫通孔３６を有すると共に、図２（ａ）の紙面において貫通孔３６を挟んで上下にわたる溝である凹部３７ａ及び凹部３７ｂを上部に有している。この凹部３７ａ及び凹部３７ｂには、リリースボタン５の第１の凸部５２及び第２の凸部５３が、スプリング４の伸長方向の弾性力により嵌まり込む。
【００３３】
キープレート７が収容領域１０１に収容されている状態、及びキープレート７が収容領域１０１から出てキープレート７による操作が可能となった状態において、凹部３７ａ及び凹部３７ｂにリリースボタン５が嵌り込み、メカニカルキー９の回転が規制される。
【００３４】
（スプリング４の構成）
スプリング４は、一例として、炭素鋼、ステンレスなどの金属線をらせん状に曲げて形成される。そしてスプリング４は、螺旋方向に巻かれた下部４３と、当該螺旋方向と逆方向におよそ１周巻いて形成される上部４４と、が形成されている。この下部４３と上部４４の境界に、湾曲部４２が形成されている。
【００３５】
スプリング４は、メカニカルキー９が支持柱２５に挿入された後、回転部材８の貫通孔８２に、下部４３から挿入されて取り付けられる。この取り付けは、下部４３側の先端部４１が、回転部材８の周突起８５の上に位置するように行われる。この取り付けの段階では、スプリング４の伸長方向の弾性力、捩じり方向の弾性力は、蓄積されていない。図２（ｅ）に示す図は、この弾性力が蓄積されていない自然状態を示している。
【００３６】
湾曲部４２は、一例として、図２（ｅ）の紙面において、時計回り及び反時計回りに角度θ１移動する。また先端部４１は、一例として、図２（ｅ）の紙面において、時計回りに角度θ２移動する。
【００３７】
角度θ１は、ロアケース２及びアッパケース３などを組み付けた状態で、スプリング４の捩じり方向の弾性力を蓄積させる前段階としてなされるメカニカルキー９の回転操作の角度である。この回転操作は、メカニカルキー９のキープレート７を収容する方向の回転と、その逆方向の回転操作である。従って湾曲部４２は、当該回転操作により角度θ１移動する。なお角度θ１は、スプリング４の先端部４１が回転部材８の周突起８５上から支持柱２５の段差部２５２上に落下する角度であれば良く、一例として、およそ９０°である。
【００３８】
角度θ２は、段差部２５２上に落下した先端部４１が円筒部２５１との境界の溝部２５３に落下する角度であれば良く、一例として、およそ９０°である。ここでロアケース２とアッパケース３が組み付けられた状態では、スプリング４が圧縮されているので、先端部４１の周突起８５から段差部２５２への落下は、主にスプリング４の弾性力による。同様に、先端部４１の段差部２５２から溝部２５３への落下は、主にスプリング４の弾性力による。
【００３９】
（リリースボタン５の構成）
図３（ａ）は、実施の形態に係る携帯機のリリースボタンの一例を示す右側面図であり、図３（ｂ）は、リリースボタンの一例を示す平面図であり、図３（ｃ）は、リリースボタンの一例を示す正面図であり、図３（ｄ）は、リリースボタンの一例を示す左側面図であり、図３（ｅ）は、リリースボタンの一例を示す下面図である。
【００４０】
リリースボタン５は、一例として、亜鉛ダイカスト、ステンレスなどの金属材料を用いて形成される。リリースボタン５は、例えば、図３（ａ）〜図３（ｅ）に示すように、円柱形状の本体５０と、本体５０の側面５７から突出する第１の凸部５２〜第３の凸部５４と、下面５１ｂを径方向に切り欠いて形成された径溝５５と、下面５１ｂから一段下がった部分である内溝５６と、内溝５６からさらに一段下がった部分である円形凹部５８と、を備えて概略構成されている。なお径方向とは、図３（ｂ）の紙面において円形となる本体５０の径方向である。
【００４１】
第１の凸部５２は、本体５０の径方向に突出し、第２の凸部５３は、第１の凸部５２とは逆方向に突出している。第１の凸部５２及び第２の凸部５３は、図３（ｂ）に示すように、その先端が本体５０の円周を拡大した円周に沿った形状を有している。そして第１の凸部５２及び第２の凸部５３は、図３（ｂ）に示すように、本体５０の上面である操作面５１ａ側から見て、幅が第１の凸部５２及び第２の凸部５３と同じでさらに径方向に突出する先端部５２０及び先端部５３０を有している。この先端部５２０及び先端部５３０は、径方向に突出した形状を有している。
【００４２】
第３の凸部５４は、第１の凸部５２及び第２の凸部５３と、およそ９０°の角度を有する位置に形成される。この第３の凸部５４は、図３（ａ）、図３（ｄ）及び図３（ｅ）に示すように、下方向に突出する突起５４０を有している。
【００４３】
第１の凸部５２の先端部５２０と本体５０との間には、図３（ｃ）及び図３（ｅ）に示すように、凹部５２１が形成されている。第２の凸部５３の先端部５３０と本体５０との間には、図３（ｃ）及び図３（ｅ）に示すように、凹部５３１が形成されている。また第３の凸部５４の突起５４０と本体５０との間には、図３（ａ）、図３（ｄ）及び図３（ｅ）に示すように、凹部５４１が形成されている。
【００４４】
凹部５３１及び凹部５４１には、スプリング４の上部４４が嵌り込む。そのため、凹部５３１には、傾斜５３２が設けられ、凹部５４１には、傾斜５４２が設けられている。
【００４５】
径溝５５には、スプリング４の湾曲部４２が挿入される。この挿入によって必然的にスプリング４の下部４３の最上部が内溝５６に挿入され、スプリング４の上部４４が凹部５３１及び凹部５４１に挿入されて、スプリング４とリリースボタン５とが一体となる。
【００４６】
（メカニカルキー９の構成）
図４（ａ）は、実施の形態に係る携帯機のメカニカルキーの一例を示す上面図であり、図４（ｂ）は、メカニカルキーの一例を示す側面図であり、図４（ｃ）は、メカニカルキーの一例を示す下面図であり、図４（ｄ）は、図４（ａ）のIV（ｄ）-IV（ｄ）線で切断した断面を矢印方向から見た断面図の一例を示している。
【００４７】
メカニカルキー９のキープレート７は、一例として、洋白などの金属材料を用いて細長い板形状に形成されている。キープレート７には、一例として、内溝加工が施されている。
【００４８】
回転部材８は、一例として、亜鉛ダイカストなどの金属材料を用いて形成されている。この回転部材８は、図４（ａ）〜図４（ｄ）に示すように、四角柱形状を有している。
【００４９】
回転部材８には、上面８０から下面８１に貫通する貫通孔８２が形成されている。この貫通孔８２は、図４（ａ）に示すように、第１の凸部５２に応じたスリット８３ａ、第２の凸部５３に応じたスリット８３ｂ、及び第３の凸部５３に応じたスリット８３ｃと連結されている。
【００５０】
回転部材８は、図４（ａ）に示すように、貫通孔８２の上部の内径方向に突出する複数のガイド突起を有し、貫通孔８２と複数のガイド突起とにより、回転を支持するアッパケース３の部材（円筒部３５）をガイドするガイド部８９を構成している。
【００５１】
また回転部材８の複数のガイド突起は、周突起８５の上方の少なくとも一部の領域、及びスリット８３ａ〜スリット８３ｃが形成された領域を除いて形成される。
【００５２】
具体的には、回転部材８は、図４（ａ）に示すように、ガイド突起８６〜ガイド突起８８を有している。ガイド突起８６は、スリット８３ａとスリット８３ｃの間に形成されている。またガイド突起８７は、スリット８３ｂとスリット８３ｃの間に形成されている。さらにガイド突起８８は、スリット８３ａとスリット８３ｂの間で、かつ周突起８５の上方を除いた領域に形成されている。
【００５３】
これは、支持柱２５に挿入された回転部材８の貫通孔８２にスプリング４を挿入する際、スプリング４の先端部４１が周突起８５上に落ちるようにするためである。なおガイド突起８８は、先端部４１が周突起８５上に落ちる範囲で周突起８５の上方に形成されても良い。
【００５４】
周突起８５は、図４（ｄ）に示すように、下面８１から一段下がって扇状に形成されると共に先端に傾斜が形成されている。またガイド突起８６〜ガイド突起８８は、図４（ａ）及び図４（ｄ）に示すように、回転部材８の上面８０から一段下がって扇状に形成されると共に、先端に傾斜が形成されている。
【００５５】
下面８１には、ストッパ８４が形成されている。このストッパ８４は、ロアケース２の円形溝２６に挿入され、キープレート７がケース１００から飛び出した後の位置決めのための円形溝２６の接触面２６０と接触する接触面８４０が形成されている。
【００５６】
貫通孔８２からは、リリースボタン５の本体５０の上部、第１の凸部５２、及び第２の凸部５３が突出する。リリースボタン５の本体５０の上部は、アッパケース３の貫通孔３６を貫通してアッパケース３の表面から突出する。
【００５７】
メカニカルキー９がケース１００に収容された状態、及びケース１００から飛び出した状態では、第１の凸部５２及び第２の凸部５３は、アッパケース３の円筒部３５の凹部３７ａ及び凹部３７ｂに嵌っている。そしてガイド部８９には、円筒部３５の上部３５０が挿入されている。
【００５８】
従って回転部材８は、ロアケース２の台座部２５６とアッパケース３の円筒部３５の上部３５０に挟まれて回転する。
【００５９】
（基板１０、パッキンシート１１及びボタン１２の構成）
基板１０は、例えば、プリント配線基板である。この基板１０上には、マイクロスイッチ１０ａがボタン１２に応じて配置されている。
【００６０】
パッキンシート１１は、例えば、シリコンなどの弾性を有する材料を用いて形成されている。このパッキンシート１１は、例えば、ロアケース２の収容部２０及びアッパケース３の収容部３０に挟まれて変形し、基板１０側に液体や埃などが侵入することを防止している。そしてパッキンシート１１の表面には、例えば、ボタン１２の操作感を生成するための円筒支持部１１０が形成されている。ボタン１２の操作によって円筒支持部１１０が弾性変形してマイクロスイッチ１０ａをオンする際、このマイクロスイッチ１０ａのクリック感と円筒支持部１１０の弾性変形によって操作感が生成される。
【００６１】
ボタン１２は、例えば、アッパケース３のボタン貫通孔３１０を貫通してパッキンシート１１の円筒支持部１１０に接触する突出部１２０が形成されている。この突出部１２０がパッキンシート１１を介してマイクロスイッチ１０ａをオンする。
【００６２】
（トランスポンダ１３の構成）
トランスポンダ１３は、車両からの電波を受信すると共に、認証番号などを車両に送信するように構成されている。車両は、トランスポンダ１３から送信された認証番号と記憶された認証番号を照合し、認証されると、駆動装置の始動などを実行する。
【００６３】
以下では、携帯機１の組み付け方法について説明する。
【００６４】
（携帯機１の組み付け方法）
図５（ａ）〜図５（ｅ）は、実施の形態に係る携帯機の組み付け方法の一例を示す概略図である。図６（ａ）〜図６（ｃ）は、実施の形態に係る携帯機の組み付け後におけるスプリングの先端部の移動の一例について説明するための概略図である。図６（ａ）〜図６（ｃ）の紙面上部に組み付け後の携帯機１の動きについて図示し、中部には、主要部分の上面図の一例を図示し、下部には、Ａ−Ａ線で切断した断面の一例を矢印方向から見た模式図を示している。
【００６５】
この携帯機１の組み付け方法は、キープレート７がロアケース２から突出した状態となるように、ロアケース２の支持柱２５にメカニカルキー９の回転部材８を挿入し、回転部材８の貫通孔８２にスプリング４を挿入し、リリースボタン５を回転部材８の貫通孔８２に挿入し、その他の部品を組み付けた後、ロアケース２にアッパケース３を取り付け、リリースボタン５を押し下げたままキープレート７が収容される収容領域１０１に収容する方向、及び突出させる方向に回転させてキープレート７を収容領域１０１から突出させる弾性力をスプリング４に蓄積させる方法である。
【００６６】
具体的には、図５（ａ）に示すように、キープレート７が収容領域１０１から突出した状態となるように、ロアケース２の支持柱２５に回転部材８を挿入する。
【００６７】
次に図５（ｂ）に示すように、回転部材８の貫通孔８２にスプリング４を挿入する。この際、スプリング４の先端部４１が回転部材８の周突起８５上に位置するように挿入する。
【００６８】
次に図５（ｃ）に示すように、リリースボタン５を回転部材８の貫通孔８２に挿入すると共に、スプリング４の湾曲部４２を径溝５５に挿入する。リリースボタン５の第１の凸部５２〜第３の凸部５４、先端部５２０、先端部５３０及び突起５４０は、回転部材８のスリット８３ａ〜スリット８３ｃに挿入される。
【００６９】
次に、トランスポンダ１３や基板１０などのその他の部品を組み付ける。
【００７０】
次に図５（ｄ）に示すように、ロアケース２にアッパケース３を取り付ける。この際、アッパケース３の嵌部３３がロアケース２の爪２３と嵌め合うと共に、アッパケース３の結合部３４がロアケース２の結合部２４と結合してロアケース２とアッパケース３が一体となる。
【００７１】
この段階では、スプリング４は、圧縮されているものの捩られてないので、メカニカルキー９を回転させる弾性力が蓄積されていない。そこで、図５（ｅ）に示すように、メカニカルキー９を収容する方向、及び突出させる方向に回転させることにより、スプリング４を捩ってメカニカルキー９を収容領域１０１から突出させる弾性力を蓄積させる。
【００７２】
図６（ａ）に示すように、ロアケース２とアッパケース３を組み付けた状態では、スプリング４の先端部４１が回転部材８の周突起８５上に位置している。
【００７３】
次に図６（ｂ）に示すように、リリースボタン５を押し下げたままキープレート７を収容領域１０１に収容する方向に回転させる。リリースボタン５を押し下げることにより、リリースボタン５の第１の凸部５２及び第２の凸部５３が円筒部３５の凹部３７ａ及び凹部３７ｂから抜け出し、メカニカルキー９が回転可能となる。
【００７４】
そして図６（ｂ）の紙面において反時計回りにメカニカルキー９を回転させると、回転部材８の周突起８５が反時計回りに回転し、やがて先端部４１が周突起８５の端部８５０から落下し、スプリング４の弾性力により支持柱２５の段差部２５２に押し付けられる。この回転の角度は、図２（ｅ）に示す角度θ１以上であれば良い。
【００７５】
次に図６（ｃ）に示すように、メカニカルキー９を時計回り、つまりキープレート７を突出させる方向に回転させると、段差部２５２上のスプリング４の先端部４１を、周突起８５の端部８５０が時計回りに移動させ、やがて先端部４１が支持柱２５の溝部２５３に嵌り込む。
【００７６】
図６（ａ）〜図６（ｃ）に示すように、先端部４１が時計回りに回転して溝部２５３に嵌り込むので、キープレート７を収容領域１０１から突出させる弾性力が蓄積される。なお先端部４１が周突起８５から落ちない場合は、回転角度θ１が小さいので、大きく回転させれば良い。
【００７７】
以下に、本実施の形態の携帯機１の動作の一例について説明する。
【００７８】
（動作）
操作者は、キープレート７を使用するため、リリースボタン５の操作面５１ａを押し込む。この操作によって、リリースボタン５の第１の凸部５２がアッパケース３の凹部３７ａから抜け出すと共に、第２の凸部５３が凹部３７ｂから抜け出す。この操作によりリリースボタン５及びメカニカルキー９は、支持柱２５に対して、つまりケース１００に対して回転可能な状態となる。
【００７９】
スプリング４が捩られていることによる復元力により、リリースボタン５が、図１の紙面において時計回りに回転すると共に、回転部材８及びキープレート７が時計回りに回転する。
【００８０】
そして回転部材８がおよそ１８０°回転すると、ストッパ８４の接触面８４０がロアケース２の円形溝２６の接触面２６０に接触する。この回転時には、リリースボタン５を押し下げる力が弱い場合は、リリースボタン５の押し下げ量が小さくてリリースボタン５の第１の凸部５２及び第２の凸部５３がアッパケース３の円筒部３５の上部３５０に接触しながら回転する。
【００８１】
そしてリリースボタン５の第１の凸部５２が円筒部３５の凹部３７ｂに嵌ると共に、第２の凸部５３が凹部３７ａに嵌って、キープレート７が突出した状態が保持される。
【００８２】
続いて、操作者がキープレート７を収容するため、リリースボタン５を押しながら、キープレート７を収容領域１０１に収容する場合について説明する。
【００８３】
操作者がリリースボタン５を押し込むと、リリースボタン５の第１の凸部５２がアッパケース３の凹部３７ｂから抜け出すと共に、第２の凸部５３が凹部３７ａから抜け出す。この操作によりリリースボタン５は、支持柱２５に対して、つまりケース１００に対して回転可能な状態となる。
【００８４】
操作者がキープレート７を収容領域１０１に収容するために回転させると、リリースボタン５及びメカニカルキー９が反時計回りに回転する。この回転によってスプリング４は、捩じられるので、弾性力を蓄積する。
【００８５】
そしてキープレート７がおよそ１８０°回転して収容領域１０１に収容される、つまりケース１００に収容されると、リリースボタン５の第１の凸部５２が円筒部３５の凹部３７ａに嵌ると共に、第２の凸部５３が凹部３７ｂに嵌って、キープレート７が収容された状態が保持される。
【００８６】
（実施の形態の効果）
本実施の形態に係る携帯機１は、組み付け性を向上させることができる。この携帯機１は、スプリング４の先端部４１がアッパケース３とロアケース２の組み付け後には回転部材８の周突起８５上に位置し、その後のメカニカルキー９の回転によって支持柱２５の段差部２５２を移動して溝部２５３に嵌る構成を有している。従って携帯機１は、メカニカルキー９やリリースボタン５などの組み付け時にスプリング４の弾性力に抗するための治具などを必要としない。従って携帯機１は、組み付け性を向上させることができる。
【００８７】
携帯機１は、リリースボタン５が第３の凸部５４を有しているので、第１の凸部及び第２の凸部のみでスプリングの上部を保持する場合と比べて、リリースボタン５の上下移動が安定する。
【００８８】
携帯機１の回転部材８は、ガイド突起８６〜ガイド突起８８が周突起８５の上方に形成されないので、スプリング４の貫通孔８２への挿入が容易となる。
【００８９】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更などを行うことができる。また、これら実施の形態の中で説明した特徴の組合せの全てが発明の課題を解決するための手段に必須であるとは限らない。さらに、これら実施の形態は、発明の範囲及び要旨に含まれると共に、特許請求の範囲に記載された発明とその均等の範囲に含まれる。
【符号の説明】
【００９０】
１…携帯機、２…ロアケース、３…アッパケース、４…スプリング、５…リリースボタン、７…キープレート、８…回転部材、９…メカニカルキー、１０…基板、１０ａ…マイクロスイッチ、１１…パッキンシート、１２…ボタン、１３…トランスポンダ、２０…収容部、２１…収容部、２２…キープレート収容部、２３…爪、２４…結合部、２５…支持柱、２６…円形溝、２８…回転部材収容部、３０…収容部、３２…キープレート収容部、３３…嵌部、３４…結合部、３５…円筒部、３６…貫通孔、３７ａ…凹部、３７ｂ…凹部、３８…回転部材収容部、４１…先端部、４２…湾曲部、４３…下部、４４…上部、５０…本体、５１ａ…操作面、５１ｂ…下面、５２〜５４…第１の凸部〜第３の凸部、５５…径溝、５６…内溝、５７…側面、５８…円形凹部、８０…上面、８１…下面、８２…貫通孔、８３ａ〜８３ｃ…スリット、８４…ストッパ、８５…周突起、８６〜８８…ガイド突起、８９…ガイド部、１００…ケース、１０１…収容領域、１０２…収容領域、１１０…円筒支持部、１２０…突出部、２００…端部、２０１…端部、２０２…側面部、２０３…側面部、２５０…円柱部、２５１…円筒部、２５２…段差部、２５３…溝部、２５６…台座部、２６０…接触面、３００…端部、３０１…端部、３０２…側面部、３０３…側面部、３１０…ボタン貫通孔、３５０…上部、５２０…先端部、５２１…凹部、５３０…先端部、５３１…凹部、５３２…傾斜、５４０…突起、５４１…凹部、５４２…傾斜、８４０…接触面、８５０…端部
【図１】
2017137640.tif 000003
【図２】
2017137640.tif 000004
【図３】
2017137640.tif 000005
【図４】
2017137640.tif 000006
【図５】
2017137640.tif 000007
【図６】
2017137640.tif 000008